(57)【特許請求の範囲】
【請求項１】
合成樹脂製の舟型本体の中央部に円形開口部が形成され、該円形開口部内に文銭が回転可能に収納され、該文銭に巻装されたよこ糸が該舟型本体の先端部のガイド孔を通して引き出される製網機用舟型において、
該円形開口部の内周面の底部に、耐摩耗性の高い高耐摩耗板が取着され、該円形開口部内に収納された該文銭が該高耐摩耗板上を回転するように構成され、該高耐摩耗板は、該舟型本体の内周面の底部の円弧状部分に沿った円弧状に、金属またはセラミックスにより形成され、合成樹脂製の該舟型本体が型成形される際、インサートとして該高耐摩耗板が成形型内に挿入され、該高耐摩耗板を含む該舟型本体が成形されたことを特徴とする製網機用舟型。
【請求項２】
合成樹脂製の舟型本体の中央部に円形開口部が形成され、該円形開口部内に文銭が回転可能に収納され、該文銭に巻装されたよこ糸が該舟型本体の先端部のガイド孔を通して引き出される製網機用舟型において、
該円形開口部の内周面の底部に、耐摩耗性の高い高耐摩耗板が取着され、該円形開口部内に収納された該文銭が該高耐摩耗板上を回転するように構成され、該高耐摩耗板は、該舟型本体の内周面の底部の円弧状部分に沿った円弧状に、金属またはセラミックスにより形成され、合成樹脂製の該舟型本体の成形時に、内周面の底部に該高耐摩耗板の形状に対応した凹部が形成され、成形後に該高耐摩耗板が該凹部内に嵌着されたことを特徴とする製網機用舟型。
【発明の詳細な説明】
【技術分野】
【０００１】
本発明は、製網機で使用される製網機用舟型に関し、特に舟型内に収納される文銭の回転による摩耗を防止することができる製網機用舟型に関する。
【背景技術】
【０００２】
網を製網する製網機では、支持フレーム上に多数の舟型が立てた状態で並設され、これらの舟型内によこ糸を巻装した文銭（スプール）が装着され、製網動作に伴い、これらの舟型内の文銭からよこ糸が引き出され、製網が行われる。このような従来の舟型は下記特許文献１などで提案されている。
【０００３】
製網機の舟型は、中央に大径の円形開口部を有し、その円形開口部に円盤状の文銭を回転自在に収納し、文銭から引き出されたよこ糸を、先端部のガイド孔から送出するように構成される。製網機では、その編網機構で編網を行い、目合い形成のためによこ糸を引き出すと、文銭は、舟型の円形開口部内で、よこ糸の引き出し力を受けて、回転しながらよこ糸を送出するが、文銭が舟型内で回転する際、円形開口部の内周底面を文銭の外周縁部で擦るように回転する。
【特許文献１】実開平３−５５８９５号公報
【発明の開示】
【発明が解決しようとする課題】
【０００４】
この種の舟型は軽量化などを目的として、通常、合成樹脂により成形され、よこ糸を巻装する文銭は、通常、ＳＰＣＣなどの鋼板により円盤状に形成される。文銭は、舟型内の円形開口部内に収納され、立てた状態で製網機の支持フレーム上に載置された舟型内で、回転しながら、内部に巻装したよこ糸を送出する。
【０００５】
このとき、上記のように、文銭はその外周縁部を舟型の円形開口部の内周底面に擦りつけながら回転するために、合成樹脂製の舟型の場合、その円形開口部の内周底面が、文銭との摩擦により非常に摩耗しやすいという課題があった。さらに、舟型の円形開口部の内周底面が摩耗すると、そこに保持される文銭の回転抵抗が増して、よこ糸の円滑な引き出し動作が阻害される不具合が生じていた。
【０００６】
本発明は、上述の課題を解決するものであり、文銭の回転時における舟型の円形開口部の内周面底部の摩耗を防止することができる製網機用舟型を提供することを目的とする。
【課題を解決するための手段】
【０００７】
上記課題を解決する本発明の製網機用舟型は、合成樹脂製の舟型本体の中央部に円形開口部が形成され、該円形開口部内に文銭が回転可能に収納され、該文銭に巻装されたよこ糸が該舟型本体の先端部のガイド孔を通して引き出される製網機用舟型において、該円形開口部の内周面の底部に、耐摩耗性の高い高耐摩耗板が取着され、該円形開口部内に収納された該文銭が該高耐摩耗板上を回転するように構成され、該高耐摩耗板は、該舟型本体の内周面の底部の円弧状部分に沿った円弧状に、金属またはセラミックスにより形成され、合成樹脂製の該舟型本体が型成形される際、インサートとして該高耐摩耗板が成形型内に挿入され、該高耐摩耗板を含む該舟型本体が成形されたことを特徴とする。
【０００８】
この発明によれば、文銭は、舟型内の円形開口部内に収納され、立てた状態で製網機の支持フレーム上に載置された舟型内で、回転しながら、内部に巻装したよこ糸を送出する際、円形開口部の内周面の底部の高耐摩耗板上を回転するため、合成樹脂製の舟型本体であっても、円形開口部の内周面の底部が文銭との摩擦により摩耗することはなく、その部分の摩耗を防止することができる。また、舟型本体が型成形される際、インサートとして高耐摩耗板が成形型内に挿入し、高耐摩耗板を含む舟型本体を成形するので、舟型本体の内周面の底部に高耐摩耗板を、底部の円弧状部分に沿って、少ない工数で良好に取着することができる。
【００１０】
ここで、合成樹脂製の舟型本体の成形時に、内周面の底部にその高耐摩耗板の形状に対応した凹部を形成し、成形後に、高耐摩耗板をその凹部内に嵌め込むこともできる。この発明によれば、舟型本体の内周面の底部に高耐摩耗板を、底部の円弧状部分に沿って、簡便に取着することができる。また、高耐摩耗板は、金属またはセラミックスにより形成されるので、文銭の回転時の摩擦抵抗は十分に小さく、摩耗は殆ど生じず、また、よこ糸の引き出し荷重は増大せずに、舟型を長期にわたり使用することができる。
【発明の効果】
【００１１】
このように、本発明の製網機用舟型によれば、文銭は、舟型の円形開口部の内周面の底部における高耐摩耗板上を回転するため、文銭の回転時における舟型の円形開口部の内周面の底部の摩耗を防止することができる。またこれにより、よこ糸の引き出し時における文銭の回転を円滑にすることができる。
【発明を実施するための最良の形態】
【００１２】
以下、本発明の一実施形態を図面に基づいて説明する。図１は製網機用舟型の正面図を示し、図２はその平面図を、図３はそのIII-III断面図を示している。この製網機用舟型の舟型本体１は、合成樹脂により、図１に示すような正面形状に、一体成形される。合成樹脂としては、強度の高い例えば、ＰＰＳ（ポリフェニレンサルファイド）樹脂を使用することができる。舟型本体１の中央部には、円形開口部１１が大きな面積割合で形成されており、この円形開口部１１内に、文銭（スプール、ボビン）２が回転自在に収納される。
【００１３】
円形開口部１１の内周面の正面視で左側に、開口凹部１８が円形開口部１１を延設する形態で形成され、この開口凹部１８には、押え支持部６が文銭２を支持するために、配設される。
【００１４】
押え支持部６は板ばね６ａを介して弾性的に文銭２の縁部を押えるように取り付けられ、板ばね６ａは円周面に沿ってその元部が舟型本体１にインサート部品として一体的に形成されている。文銭２の円周凹部に進入可能な凸部６ｂが内側に突設され、文銭２を装着する際、押え支持部６を指で開くように操作するために、取手６ｃが押え支持部６に設けられている。
【００１５】
さらに、円形開口部１１の内周面の底部１２には、高耐摩耗板５が取着されている。この高耐摩耗板５は、例えば、帯状のステンレス板を円形開口部１１の円周面の曲率に合わせた円弧状に曲げて形成され、円形開口部１１の底部内周面に沿って固定されている。舟型本体１を合成樹脂により型成形する場合、予め所定の大きさと円弧状に曲げ形状に形成された高耐摩耗板５を、インサートとして、金型の所定位置に配置し、型成形時に、インサート成形を行なうことにより、円形開口部１１の内周面の底部１２の位置に、取着することができる。
【００１６】
なお、高耐摩耗板５は、舟型本体１の型成形時にインサート成形して取着するほか、舟型本体１の型成形時に、その円形開口部１１の内周面の底部１２に高耐摩耗板５のための薄い板状の凹部を予め形成しておき、型成形後に、その凹部に高耐摩耗板５を嵌着或いは接着することもできる。この場合、高耐摩耗板５の縁部に複数の爪を突設しておき、その爪を舟型本体１の内周面の底部１２の凹部内の所定位置に設けた孔に嵌め込み、これにより高耐摩耗板５を嵌着する。また、高耐摩耗板５にはステンレス板のほか、セラミックス板を使用することができる。
【００１７】
図３、図５に示すように、文銭２が収納される円形開口部１１の内周面の底部１２には、高耐摩耗板５が露出して取着され、その内側に収納される文銭２の外周縁部が、高耐摩耗板５上に接して回転することとなる。また、円形開口部１１の内周面の底部１２には、図３、図５に示す如く、背面側に高さの低い立上り壁部１２ａが形成され、文銭２を押え支持部と協働して、回転自在に保持するようになっている。また、円形開口部１１の円周面の上部背面側にも、文銭２を支持するために、高さの低い立上り壁部１９が形成されている。
【００１８】
一方、舟型本体１の先端部１７には、よこ糸３を送出するためのガイド孔１６が形成され、その元部側にさらにガイド孔１５とガイド孔１４が形成され、ガイド孔１４とガイド孔１５の間に、竪穴１３が形成されている。この竪穴１３には、よこ糸３を掛けるための重り４が配設され、よこ糸３に重り４を掛けて、よこ糸３に適度な張力をかけるようになっている。
【００１９】
つまり、文銭２から引き出されたよこ糸３は、図４に示すように、先ず、ガイド孔１４を通り、重り４を掛けた状態で、ガイド孔１５を通り、さらに先端部１７のガイド孔１６を通して送出されるように、製網機用舟型は構成されている。
【００２０】
文銭２は、ＳＰＣＣなどの薄い鋼板をプレス加工して円盤型のボビン状に形成され、内側の円環状空間内によこ糸３が巻装される。文銭２の外径と厚さは、図４に示すように、舟型本体１の円形開口部１１内に、回転自在に収納保持されるように、舟型本体１の形状と大きさに対応して設定されている。
【００２１】
このように構成された製網機用舟型は、その舟型本体１内に、よこ糸３を巻装した文銭２が収納され、図示しない製網機の支持フレーム上に、多数の舟型が立てた状態で並設される。文銭２から引き出したよこ糸３は、製網機の編網位置に導出され、編網機構による目合い形成の動作に応じて、文銭２から引き出される。
【００２２】
舟型本体１内の文銭２は、よこ糸３が引き出される際、その引き出し力により回転するが、このとき、文銭２は、収納されている舟型本体１の円形開口部１１の内周面の底部１２の高耐摩耗板５上で、文銭２の外周縁部がその金属面を滑りながら回転することとなる。つまり、このとき、ステンレス板などの耐摩耗性の優れた高耐摩耗板５上を鋼板製の文銭２の外周縁部が滑りながら回転するため、接触部分の摩擦抵抗は非常に少なく、高耐摩耗板５を含む舟型本体１に摩耗は殆ど生じない。
【００２３】
このように、文銭２は、製網機の編網機構が目合い形成のために必要なよこ糸を引き出す際、そのよこ糸３の引き出しに応じて回転するが、文銭２の外周縁部が高耐摩耗板５上で滑るように回転するため、摩擦抵抗は小さく、よこ糸３の引き出し荷重は増大せず、且つ舟型本体１にも文銭２の回転に伴う摩耗は生じず、良好に製網を行うことができる。
【図面の簡単な説明】
【００２４】
【図１】本発明の一実施形態を示す製網機用舟型の正面図である。
【図２】同舟型の平面図である。
【図３】図１の拡大III-III断面図である。
【図４】舟型本体内に文銭を収納した状態の、正面に沿った断面図である。
【図５】図４の拡大V-V断面図である。
【符号の説明】
【００２５】
１      舟型本体
２      文銭
３      よこ糸
５      高耐摩耗板
１１    円形開口部
１２    内周面の底部
【図１】
0004418002.tif 000002
【図２】
0004418002.tif 000003
【図３】
0004418002.tif 000004
【図４】
0004418002.tif 000005
【図５】
0004418002.tif 000006